(57)【要約】      （修正有）【課題】複数の画像入力端子を備えた画像表示装置において、画像信号が入力されていない画像入力端子を選択した場合でも、画像信号が入力されている画像入力端子を知らせる画像表示装置を提供する。【解決手段】現在選択されている画像入力端子に画像信号が検出されず、他の画像入力端子のいずれかに画像信号が入力されていることを検出したとき、画像信号が入力されている画像入力端子、および他の画像入力端子への切替方法を知らせる通知メッセージを、画像投写手段に投写させる。【選択図】図２
2013029642.tif 000002
【特許請求の範囲】
【請求項１】
画像信号が入力される複数の画像入力端子と、
入力された前記画像信号に基づいた画像を表示する画像表示手段と、
を備えた画像表示装置であって、
前記複数の画像入力端子の中からいずれか一つを選択する画像入力選択手段と、
前記複数の画像入力端子のいずれかに前記画像信号が入力されているか否かを検出する画像信号検出手段と、
当該画像表示装置を制御する制御手段と、
を備えた画像表示装置であって、
前記制御手段は、現在選択されている画像入力端子に画像信号が検出されず、前記画像入力端子とは異なる他の画像入力端子のいずれかに画像信号が入力されていることを検出したとき、前記画像信号が入力されている画像入力端子、および他の画像入力端子への切替方法の少なくとも一方を知らせる通知メッセージを前記画像表示手段に表示することを特徴とする画像表示装置。
【請求項２】
請求項１に記載の画像表示装置において、
入力操作を受け付ける入力操作手段と、
前記入力操作手段により、受け付けた入力操作の回数をカウントする操作回数カウンターを保存する記憶手段と、をさらに備え、
前記制御手段は、現在選択されている画像入力端子に画像信号が検出されず、前記他の画像入力端子のいずれかに画像信号が入力されていることを検出してから、前記操作回数カウンターが、所定の回数を越える入力操作をカウントした場合に、前記画像信号が入力されている画像入力端子、および他の画像入力端子への切替方法の少なくとも一方を知らせる通知メッセージを前記画像表示手段に表示することを特徴とする画像表示装置。
【請求項３】
請求項１に記載の画像表示装置であって、
前記制御手段は、現在選択されている画像入力端子に画像信号が検出されない状態が所定時間継続した後、前記他の画像入力端子のいずれかに画像信号が入力されていることを検出した場合、前記画像信号が入力されている画像入力端子、および他の画像入力端子への切替方法の少なくとも一方を知らせる通知メッセージを前記画像表示手段に表示することを特徴とする画像表示装置。
【請求項４】
画像信号が入力される複数の画像入力端子と、
前記入力される画像信号に基づいた画像を表示する画像表示手段と、
を備えた画像表示装置の制御方法であって、
前記複数の画像入力端子の中からいずれか１つを選択する画像入力選択ステップと、
前記複数の画像入力端子のいずれかに画像信号が入力されているか否かを検出する信号検出ステップと、
前記信号検出ステップにより、現在選択されている画像入力端子に画像信号が検出されず、前記画像入力端子とは異なる他の画像入力端子のいずれかに画像信号が入力されていることが検出された場合に、前記画像信号が入力されている画像入力端子、および他の画像入力端子への切替方法の少なくとも一方を示す通知メッセージを前記画像表示手段に表示させる通知ステップと、
を有することを特徴とする、画像表示装置の制御方法。
【発明の詳細な説明】
【技術分野】
【０００１】
本発明は、画像表示装置、および画像表示装置の制御方法に関する。
【背景技術】
【０００２】
従来、複数の画像入力端子を備えた画像表示装置を用いて画像データを表示する際、選択されている画像入力端子と異なる画像入力端子に外部機器を接続したために、画像データが正しく表示されず、操作に慣れていない使用者が戸惑う場合があった。また、操作に慣れていない使用者が、画像入力端子の切替方法がわからずにキー操作を繰り返したり、そのまま放置したりしてしまう場合があった。そのため、本体に備えたタッチパネルに、複数の画像入力端子の信号入力状況を表示するプロジェクターが開示されている（特許文献１）。
【先行技術文献】
【特許文献】
【０００３】
【特許文献１】特開２００３−３２３１６８号公報
【発明の概要】
【発明が解決しようとする課題】
【０００４】
しかしながら、特許文献１のプロジェクターのように、画像入力端子の信号入力状況を表示するためにタッチパネルを搭載することは、コストアップになってしまうという問題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係る画像表示装置は、画像信号が入力される複数の画像入力端子と、前記入力される画像信号に基づいた画像を表示する画像表示手段と、を備えた画像表示装置であって、前記複数の画像入力端子の中からいずれか１つを選択する画像入力選択手段と、前記複数の画像入力端子のいずれかに画像信号が入力されているか否かを検出する画像信号検出手段と、当該画像表示装置を制御する制御手段、を備えた画像表示装置であって、前記制御手段は、現在選択されている画像入力端子に画像信号が検出されず、前記画像入力端子とは異なる他の画像入力端子のいずれかに画像信号が入力されていることを検出したとき、前記画像信号が入力されている画像入力端子、および他の画像入力端子への切替方法の少なくとも一方を知らせる通知メッセージを前記画像表示手段に表示することを特徴とする。
【０００７】
本適用例によれば、画像表示装置の操作に慣れていない使用者が、選択されているものと異なる画像入力端子に外部機器を接続した場合でも、画像信号が入力されている画像入力端子と、他の画像入力端子への切替方法との少なくとも一方を通知メッセージで知ることが可能となる。
【０００８】
［適用例２］上記適用例に記載の画像表示装置において、入力操作を受け付ける入力操作手段と、前記入力操作手段により、受け付けた入力操作の回数をカウントする操作回数カウンターを保存する記憶手段と、をさらに備え、前記制御手段は、現在選択されている画像入力端子に画像信号が検出されず、前記他の画像入力端子のいずれかに画像信号が入力されていることを検出してから、前記操作回数カウンターが、所定の回数を越える入力操作をカウントした場合に、前記画像信号が入力されている画像入力端子、および他の画像入力端子への切替方法の少なくとも一方を知らせる通知メッセージを前記画像表示手段に表示することを特徴とする。
【０００９】
本適用例によれば、選択されている画像入力端子に画像信号が検出されず、他の画像入力端子のいずれかに画像信号が入力されている状態で、入力操作手段が所定回数以上の入力操作を受け付けた場合に、画像信号が入力されている画像入力端子と、切替方法とを通知メッセージとして表示する。つまり、操作に慣れていない使用者が画像入力端子の切替方法がわからずに何回かキー操作した場合に、画像信号の入力されている画像入力端子、および他の画像入力端子への切替方法の少なくとも一方を通知メッセージで知ることが可能となる。
【００１０】
［適用例３］上記適用例に記載の画像表示装置において、前記制御手段は、現在選択されている画像入力端子に画像信号が検出されない状態が所定時間継続した後、前記他の画像入力端子のいずれかに画像信号が入力されていることを検出した場合、前記画像信号が入力されている画像入力端子、および他の画像入力端子への切替方法の少なくとも一方を知らせる通知メッセージを前記画像表示手段に表示することを特徴とする。
【００１１】
本適用例によれば、画像表示装置の操作に慣れていない使用者が、選択されているものと異なる画像入力端子に外部機器を接続し、切り替え方法がわからずにしばらく放置していた場合に、画像信号が入力されている画像入力端子と、他の画像入力端子への切替方法との少なくとも一方を通知メッセージで知らせ、操作方法を知らせることが可能となる。
【００１２】
［適用例４］本適用例に係る画像表示装置の制御方法は、画像信号が入力される複数の画像入力端子と、前記入力される画像信号に基づいた画像を表示する画像表示手段と、を備えた画像表示装置の制御方法であって、前記複数の画像入力端子の中からいずれか１つを選択する画像入力選択ステップと、前記複数の画像入力端子のいずれかに画像信号が入力されているか否かを検出する信号検出ステップと、前記信号検出ステップにより、現在選択されている画像入力端子に画像信号が検出されず、前記画像入力端子とは異なる他の画像入力端子のいずれかに画像信号が入力されていることが検出された場合に、前記画像信号が入力されている画像入力端子、および他の画像入力端子への切替方法の少なくとも一方を示す通知メッセージを前記画像表示手段に表示させる通知ステップと、を有することを特徴とする。
【００１３】
本適用例によれば、画像表示装置の操作に慣れていない使用者が、選択されているものと異なる画像入力端子に外部機器を接続した場合でも、画像信号が入力されている端子と、他の画像入力端子への切替方法の少なくとも一方を通知メッセージで知ることが可能となる。
【図面の簡単な説明】
【００１４】
【図１】プロジェクターの回路構成を示すブロック図。
【図２】プロジェクターの動作を示すフローチャート。
【図３】プロジェクターの表示メッセージを示す図であり、（ａ）は選択中の画像入力端子以外で画像信号が入力されている画像入力端子が一つある場合の通知メッセージの一例、（ｂ）は選択中の画像入力端子以外で画像信号が入力されている画像入力端子が複数ある場合の通知メッセージの一例、（ｃ）は選択中の画像入力端子を含め、画像信号が入力されている画像入力端子が一つもなかった場合の警告メッセージの一例を示す。
【発明を実施するための形態】
【００１５】
以下、添付図面を参照して本発明の一実施形態である画像表示装置としてのプロジェクターについて説明する。なお、以下の実施形態は特許請求の範囲にかかる発明を限定するものではなく、また、実施形態における特徴の組み合わせの全てが発明の解決手段に必須であるとは限らない。
【００１６】
（第１実施形態）
図１は、本実施形態のプロジェクターの回路構成を示すブロック図である。
図１に示すように、プロジェクター１は、画像信号処理手段３、ＯＳＤ処理手段４、画像入力選択手段５、画像入力端子６、画像信号検出手段７、画像投写手段１０、制御手段２０、記憶手段２１、光源制御手段２２、入力操作手段２３、等で構成されており、これらは図示しない筐体の内部に収容されている。
【００１７】
画像表示手段としての画像投写手段１０は、光源１１、光変調装置としての３つの液晶ライトバルブ１２Ｒ、１２Ｇ、１２Ｂ、投写光学系としての投写レンズ１３、液晶駆動手段１４等を含んでいる。画像投写手段１０は、光源１１から射出された光を、液晶ライトバルブ１２Ｒ、１２Ｇ、１２Ｂで変調して画像光を形成し、この画像光を投写レンズ１３から投写することによってスクリーンＳＣ等に画像を表示する。
【００１８】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００１９】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。
【００２０】
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２１】
本実施形態では、光源１１として光源ランプ１１ａを用いて投写するプロジェクター１を例示したが、本発明は光源としてＬＥＤ（Light Emitting Diode）光源やレーザー光源などを用いて投写するプロジェクターにも適用することができる。
なお、本実施形態では、画像投写手段１０は、光源１１、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２２】
制御手段２０は、ＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。また、制御手段２０は、時間を計時するタイマー２０ａを含む。
【００２３】
記憶手段２１は、図示しないフラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
記憶手段２１は画像入力端子６の画像信号が検出されていない状態で入力操作手段２３が受け付けた入力操作の回数をカウントする操作回数カウンターとしてのキー入力カウンター２１ａを記憶する。
【００２４】
入力操作手段２３は、図示は省略するが、ユーザーがプロジェクター１に対して各種指示を行うための複数の操作キーを備えている。入力操作手段２３が備える操作キーとしては、電源のオン・オフを交互に切り替えるための電源キーや、画像入力選択手段５により複数の画像入力端子６のうちいずれかの入力に切り替えるための入力切替キー、各種設定を行うための設定メニューを重畳表示させるメニューキー、設定メニューからユーザーが設定項目を選択するカーソルキー、決定キー、エスケープキー等がある。
【００２５】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、使用者（ユーザー）の操作内容に応じた赤外線等の操作信号を発し、リモコン信号受信手段がこれを受信して制御情報として制御手段２０に伝達する。
【００２６】
画像入力端子６は、上述したように複数の画像入力端子６ａ、６ｂ、６ｃを備えており、複数の画像入力端子６ａ、６ｂ、６ｃには、それぞれビデオ再生装置やパーソナルコンピューター等の外部の画像出力装置から、図示しないケーブルを介して画像情報が入力される。画像入力端子６に入力された画像情報は、画像入力選択手段５に供給される。
【００２７】
画像入力選択手段５は、複数の画像入力端子６（６ａ、６ｂ、６ｃ）のうち、制御手段２０の指示に基づき選択された一の画像入力端子６に入力される画像情報を画像信号処理手段３に出力する。
ユーザーが、入力操作手段２３に備わる入力切替キーを操作して、例えば画像入力端子６ａを指定すると、制御手段２０は、画像入力端子６ａに入力される画像情報が画像信号処理手段３に出力されるよう、画像入力選択手段５に指示をする。
【００２８】
画像信号検出手段７は、画像入力選択手段５によって選択された画像入力端子６に有効な画像信号が入力されているか否かの検出結果を制御手段２０に通知する。
【００２９】
画像信号処理手段３は、画像入力選択手段５から入力される画像情報を、液晶ライトバルブ１２Ｒ、１２Ｇ、１２Ｂの各画素の階調を表す画像情報に変換する。ここで、変換された画像情報は、Ｒ，Ｇ，Ｂの色光別になっており、各液晶ライトバルブ１２Ｒ、１２Ｇ、１２Ｂのすべての画素に対応する複数の画素値によって構成されている。
画素値とは、対応する画素の光透過率を定めるものであり、この画素値によって、各画素を透過し射出する光の強弱（階調）が規定される。
【００３０】
ＯＳＤ処理手段４は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段４は、図示しないＯＳＤメモリーを備えており、ＯＳＤ画像を形成するための図形やフォント等を表すＯＳＤ画像情報を記憶している。
【００３１】
制御手段２０が、ＯＳＤ画像の重畳表示を指示すると、ＯＳＤ処理手段４は、必要なＯＳＤ画像情報をＯＳＤメモリーから読み出し、投写画像上の所定の位置にＯＳＤ画像が重畳されるように、画像信号処理手段３から入力される画像情報にこのＯＳＤ画像情報を合成する。
ＯＳＤ画像情報が合成された画像情報は、液晶駆動手段１４に出力される。なお、制御手段２０からＯＳＤ画像を重畳する旨の指示がない場合には、ＯＳＤ処理手段４は、画像信号処理手段３から入力される画像情報を、そのまま液晶駆動手段１４に出力する。
【００３２】
液晶駆動手段１４は、ＯＳＤ処理手段４から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００３３】
光源制御手段２２は、制御手段２０の指示に基づいて、光源１１に対する電力の供給と停止とを制御し、光源１１の点灯、及び消灯を切り替える。
【００３４】
次に、本実施形態のプロジェクター１の動作を図２のフローチャートを用いて説明する。
【００３５】
図２に示すように、プロジェクター１が入力操作手段２３の電源キー操作により電源オンすると（ステップＳ１０１）、制御手段２０は、画像信号検出手段７の検出結果に基づき、現在選択されている画像入力端子６に画像信号が入力されているか否かを調べる（ステップＳ１０２（信号検出ステップ））。なお、現在選択されている画像入力端子６とは、図示されていない画像入力選択ステップにおいて、複数の画像入力端子の内からユーザーによって選択された画像入力端子のことである。
現在選択されている画像入力端子６に画像信号が入力されている場合（ステップＳ１０２：Ｙ）、ステップＳ１０６に遷移する。現在選択されている画像入力端子６に画像信号が入力されていない場合（ステップＳ１０２：Ｎ）、ステップＳ１０３に遷移する。
【００３６】
ステップＳ１０３において制御手段２０は、画像入力選択手段５によって複数の画像入力端子６を現在選択されている画像入力端子６と異なる画像入力端子６に切り替えながら、画像信号検出手段７により、それぞれの画像入力端子６の画像信号検出状態を取得し、ステップＳ１０４に遷移する。
【００３７】
ステップＳ１０４において制御手段２０は、ステップＳ１０３で取得した画像信号検出状態により、現在選択されている画像入力端子６の他に画像信号が検出された画像入力端子６があるか否かを調べる。画像信号が検出された画像入力端子６があれば（ステップＳ１０４：Ｙ）、ステップＳ１０５に遷移する。画像信号が検出された画像入力端子６がひとつもなかったら（ステップＳ１０４：Ｎ）、ステップＳ１０７に遷移する。
【００３８】
ステップＳ１０５において制御手段２０は、キー入力カウンター２１ａをリセットし、タイマー２０ａによる計時をスタートした後、ステップＳ１１０に遷移する。
【００３９】
ステップＳ１０６において制御手段２０は、現在選択されている画像入力端子６の画像データを画像投写手段１０により投写開始し、本フローを終了する。
【００４０】
ステップＳ１０７において制御手段２０は、警告メッセージＭ３を画像投写手段１０により投写し、ステップＳ１０８に遷移する。このときの警告メッセージＭ３の一例を図３（ｃ）に示す。
【００４１】
ステップＳ１０８において本動作フローを終了する。
【００４２】
ステップＳ１１０において制御手段２０は、現在選択されている画像入力端子６で画像信号が検出されているか否かを調べる。画像信号が検出されている場合（ステップＳ１１０：Ｙ）、ステップＳ１１６に遷移する。画像信号が検出されていない場合（ステップＳ１１０：Ｎ）、ステップＳ１１１に遷移する。
【００４３】
ステップＳ１１１において制御手段２０は、入力操作手段２３が入力操作を受け付けたか否かを調べる。入力操作を受け付けた場合（ステップＳ１１１：Ｙ）、ステップＳ１１３に遷移する。入力操作を受け付けていない場合（ステップＳ１１１：Ｎ）、ステップＳ１１２に遷移する。
【００４４】
ステップＳ１１２において制御手段２０は、タイマー２０ａによる計時が、所定の時間Ｔ1（例えば１０秒）を経過したか否かを調べる。タイマー２０ａが所定の時間Ｔ１を経過した場合（ステップＳ１１２：Ｙ）、ステップＳ１２０に遷移する。タイマー２０ａが所定の時間Ｔ１を経過していない場合（ステップＳ１１２：Ｎ）、ステップＳ１１０に遷移する。
【００４５】
ステップＳ１１３において制御手段２０は、キー入力カウンター２１ａを１増やし、ステップＳ１１４に遷移する。
【００４６】
ステップＳ１１４において制御手段２０は、キー入力カウンター２１ａが所定回数Ｎ１（例えば１０回）を越えたか否かを調べる。キー入力カウンター２１ａが所定回数Ｎ１を越えた場合（ステップＳ１１４：Ｙ）、ステップＳ１２０に遷移する。キー入力カウンター２１ａが所定回数Ｎ１を超えていない場合（ステップＳ１１４：Ｎ）、ステップＳ１１５に遷移する。
【００４７】
ステップＳ１１５において制御手段２０は、ステップＳ１１１において入力操作手段２３が受け付けたキー操作に基づく処理を実行し、ステップＳ１１０に遷移する。
【００４８】
ステップＳ１１６において制御手段２０は、タイマー２０ａの計時を停止して、ステップＳ１１７に遷移する。
【００４９】
ステップＳ１１７において制御手段２０は、現在選択されている画像入力端子６の画像データを画像投写手段１０により投写開始し、本フローを終了する。
【００５０】
ステップＳ１２０（通知ステップ）において制御手段２０は、通知メッセージＭ１または通知メッセージＭ２を画像投写手段１０により投写する。ステップ１０３で取得した、他の画像入力端子６の信号検出状態より、画像信号が検出された画像入力端子６が一つの場合は、通知メッセージＭ１を画像投写手段１０により投写し、画像信号が検出された画像入力端子６が複数の場合は、通知メッセージＭ２のように画像入力端子名と、他の画像入力端子への切替方法を示すメッセージを画像投写手段１０により投写する。このときの通知メッセージＭ１の一例を図３（ａ）に、通知メッセージＭ２の一例を図３（ｂ）に示す。
【００５１】
ステップＳ１２１において制御手段２０は、ステップＳ１２０で投写した通知メッセージＭ１または通知メッセージＭ２に対するキー操作を入力操作手段２３によって受け付け、受け付けたキー操作に基づき、画像入力選択手段５によって画像入力端子６を切り替える。次にステップＳ１２２に遷移する。
【００５２】
ステップＳ１２２において制御手段２０は、タイマー２０ａによる計時を停止し、ステップＳ１２３に遷移する。
【００５３】
ステップＳ１２３において制御手段２０は、現在選択されている画像入力端子６の画像データを画像投写手段１０により投写し、本フローを終了する。
【００５４】
以上説明したように、本実施形態のプロジェクター１によれば、現在選択されているものと異なる画像入力端子６に外部機器を接続した場合でも、画像信号が入力されている画像入力端子６と、他の画像入力端子６への切替方法とを通知メッセージで知ることが可能となる。
また、操作に慣れていない使用者が画像入力端子６の切替方法がわからずに所定時間そのまま放置した場合や、何回かキー操作を繰り返した場合に、操作に慣れていない使用者でも、画像信号の入力されている画像入力端子６および、他の画像入力端子６への切替方法との少なくとも一方を通知メッセージで知ることが可能となる。
【００５５】
（変形例１）
また、上記実施形態は、以下のように変更してもよい。
上記実施形態において、画像入力選択部５により選択されている画像入力端子６に画像信号が検出されず、他の画像入力端子６に画像信号が入力されていることが検出された場合に、その画像入力端子６と他の画像入力端子６への切替方法に加えて、画像信号の縮小画像（サムネイル）を表示するようにしてもよい。
これにより、複数の画像入力端子６に画像信号が入力されている場合、どの画像入力端子６を選択すればよいか、縮小画像により確認できるようになる。
【符号の説明】
【００５６】
１…プロジェクター、３…画像信号処理手段、４…ＯＳＤ処理手段、５…画像入力選択手段、６…画像入力端子、７…画像信号検出手段、１０…画像投写手段、１１…光源、１２Ｒ，１２Ｇ，１２Ｂ…液晶ライトバルブ、１３…投写レンズ、１４…液晶駆動手段、２０…制御手段、２１…記憶手段、２１ａ…キー入力カウンター、２２…光源制御手段、２３…入力操作手段。
【図１】
2013029642.tif 000003
【図２】
2013029642.tif 000004
【図３】
2013029642.tif 000005